(57)【要約】【課題】締結、締結解除の操作が容易で、被締結部材の耐久品質に優れた締結具、およびこれを備えた長尺体などの提供。【解決手段】本発明の締結具は、長尺体としてのバンド１１，１２の所定位置にそれぞれ取り付けられる第１部材３Ａと第２部材３Ｂとを備える。この締結具によれば、バンド１１，１２を長さ方向反対側に相対的にスライドさせるだけで、係合ボタン３２１が係合凹部４１１に係合してバンド１１，１２の装着が終了する。また、係合ボタン３２１が係合凹部４１１に係合された状態でバンド１１，１２を締める方向にスライドさせると、係合ボタン３２１が係合凹部４１１から外れ、バンド１１，１２の締結が解除される。このように、バンド１１，１２をスライドさせるだけで締結および締結解除の操作が可能であり、バンド１１，１２に部分的に負荷が掛からないため、バンド１１，１２の耐久品質を向上させることができる。【選択図】図１２
2008272069.tif 000002
【特許請求の範囲】
【請求項１】
２つの被締結部材にそれぞれ配設される第１部材と第２部材とを備え、前記被締結部材同士が相対的に反対側にスライドされた際に前記第１部材と前記第２部材とが係合することにより結合する締結具であって、
前記第１部材は、
前記一方の被締結部材における前記スライドされる方向と交差する方向の両側にそれぞれ設けられ開口部が形成された側壁と、これらの側壁を連結する連結部とを有する第１取付部材と、
前記第１取付部材の側壁の内側から外側へと付勢されるボタンを有し、前記ボタンが前記開口部を貫通することにより、前記第１取付部材との間に前記一方の被締結部材を挟むボタンユニットと、を備え、これらの前記第１取付部材および前記ボタンユニットは、前記一方の被締結部材の所定位置に取り付けられ、
前記第２部材は、
前記他方の被締結部材における前記スライドされる方向と交差する方向の両側にそれぞれ設けられて当該被締結部材の所定位置に取り付けられる側壁を有する第２取付部材を備え、
前記第２取付部材の側壁は、前記被締結部材同士がスライドされた際に当該側壁の内側から前記ボタンが係合される係合凹部を有し、
前記ボタンが前記係合凹部に係合された状態において、当該ボタンが前記係合凹部に係合される際のスライド方向と同じ方向に、前記被締結部材が更にスライド可能とされている
ことを特徴とする締結具。
【請求項２】
請求項１に記載の締結具において、
前記ボタンおよび前記第２取付部材の側壁の少なくとも一方には、前記被締結部材同士のスライドにより前記ボタンと前記第２取付部材の側壁とが当接した際に前記第１取付部材の側壁の内側に向かって分力が作用する方向に傾斜する斜面が形成されている
ことを特徴とする締結具。
【請求項３】
請求項１または２に記載の締結具であって、
前記ボタンにおける前記被締結部材のスライド方向で前記第２部材側とは反対側の端部は、前記スライド方向に対して略直角に形成されている
ことを特徴とする締結具。
【請求項４】
請求項１から３のいずれかに記載の締結具において、
前記ボタンは、前記係合凹部に係合された状態で前記第２取付部材の側壁の外側に突出していない、または略突出していない
ことを特徴とする締結具。
【請求項５】
請求項１から４のいずれかに記載の締結具において、
前記第２取付部材は、前記被締結部材同士のスライドにより前記ボタンが前記係合凹部から外れた際に前記第１取付部材の側壁に当接される当接部を有し、
前記当接部は、前記第２取付部材の側壁の内側に突出するように形成されている
ことを特徴とする締結具。
【請求項６】
請求項１から５のいずれかに記載の締結具において、
前記一方の被締結部材は、当該被締結部材の装着対象に装着される際に前記ボタンユニットの前記装着対象とは反対側に配置され、
前記被締結部材同士は、前記一方の被締結部材を前記他方の被締結部材に載せた状態でスライドされる
ことを特徴とする締結具。
【請求項７】
請求項１から６のいずれかに記載の締結具において、
前記第１部材の連結部、および前記ボタンユニットの一方は、他方に向かって突出する突起を有し、
前記突起は、前記一方の被締結部材に形成された孔に挿入される
ことを特徴とする締結具。
【請求項８】
請求項１から７のいずれかに記載の締結具において、
前記第２部材は、筒体に挿入された棒状部材がばねにより出没自在とされたばね棒を有し、
前記第２取付部材の側壁は、前記ばね棒によって前記他方の被締結部材に取り付けられている
ことを特徴とする締結具。
【請求項９】
請求項１から８のいずれかに記載の締結具を備えた
ことを特徴とする長尺体。
【請求項１０】
請求項９に記載の長尺体を備えた
ことを特徴とする携帯機器。
【請求項１１】
請求項９に記載の長尺体を備え、
前記長尺体は、時計の外装ケースに連結されている
ことを特徴とする時計。
【請求項１２】
請求項１１に記載の時計において、
前記長尺体は、時計バンドである
ことを特徴とする時計。
【請求項１３】
請求項９に記載の長尺体を備え、この長尺体により装着される
ことを特徴とする装身具。
【発明の詳細な説明】
【技術分野】
【０００１】
本発明は、バンド等の被締結部材を締結する締結具に関する。また、この締結具を備えた長尺体や、この長尺体を備えた携帯機器、時計、および装身具などに関する。
【背景技術】
【０００２】
従来、時計バンドの開放端同士を締結するタイプの中留として、例えばつく棒（突棒）が突設されバンドに回動自在に設けられるフレームと、ばね力でつく棒を係止するプッシュ中留部材とを備えたものが知られている（特許文献１）。
このような中留のつく棒は、フレームから立ち上がる小径部と、小径部から膨出した大径部とを有する。そして、中留を留める際には、つく棒をバンドの孔に挿通し、バンドの孔から突出したつく棒の大径部をプッシュ中留部材の穴に係合させる。
【０００３】
【特許文献１】特開平１０−２８６０５号公報
【発明の開示】
【発明が解決しようとする課題】
【０００４】
しかしながら、特許文献１のような中留には、次のような課題がある。
（１）腕への着脱の都度、バンドの孔につく棒を抜き挿ししなくてはならず、バンドの孔からつく棒を抜く際に、つく棒の大径部がバンド裏面側でバンド孔の周縁に引っ掛かるので、バンド孔の近傍が傷みやすい。具体的に、バンドで装着された時計の携帯時にはバンドの剛性によって引張力が作用するため、つく棒の軸とバンド孔の中心とがずれてつく棒の小径部がバンド孔の内周面に当接し、バンド孔の周縁に大径部が引っ掛かった状態からつく棒を抜くため、バンド孔の近傍が傷みやすい。
このように、バンド孔の位置でつく棒とプッシュ中留部材とを係合させる構成では、着脱時にバンドの一部分のみに負荷が掛かるため、バンドの耐久性が低い。
【０００５】
（２）つく棒をバンド孔に挿入する際に、つく棒とバンド孔との位置の見当を付けづらいため、装着操作が困難である。すなわち、バンドの開放端同士を締結する場合はバンドとバンドとの位置決めが必要であり、一方のバンドに設けられたつく棒と他方のバンドの孔との位置を合わせなくてはならないが、つく棒がフレームの裏側に隠れて見えづらい。
なお、特許文献１とは反対側の位置につく棒が設けられた構成、例えば腕に当接するプレート部材などにつく棒が突設され、このプレートにバンドを被せるようにしてバンド孔につく棒を挿通させる構成の場合なども、バンドの裏側につく棒が隠れるため、つく棒とバンド孔との位置を合わせづらいという事情は変わらず、装着操作が困難である。
また、バンドには複数の孔が形成されており、腕への着脱の都度、所定の孔につく棒を挿通できるとは限らないため、締結時のバンドの長さが所望の長さとならない場合がある。
【０００６】
そこで、本発明の目的は、締結操作および締結解除の操作が容易で、かつバンド等の被締結部材の耐久品質に優れた締結具、この締結具を備えた長尺体、およびこの長尺体を備えた携帯機器、時計、並びに装身具を提供することにある。
【課題を解決するための手段】
【０００７】
本発明の締結具は、２つの被締結部材にそれぞれ配設される第１部材と第２部材とを備え、前記被締結部材同士が相対的に反対側にスライドされた際に前記第１部材と前記第２部材とが係合することにより結合する締結具であって、前記第１部材は、前記一方の被締結部材における前記スライドされる方向と交差する方向の両側にそれぞれ設けられ開口部が形成された側壁と、これらの側壁を連結する連結部とを有する第１取付部材と、前記第１取付部材の側壁の内側から外側へと付勢されるボタンを有し、前記ボタンが前記開口部を貫通することにより、前記第１取付部材との間に前記一方の被締結部材を挟むボタンユニットと、を備え、これらの前記第１取付部材および前記ボタンユニットは、前記一方の被締結部材の所定位置に取り付けられ、前記第２部材は、前記他方の被締結部材における前記スライドされる方向と交差する方向の両側にそれぞれ設けられて当該被締結部材の所定位置に取り付けられる側壁を有する第２取付部材を備え、前記第２取付部材の側壁は、前記被締結部材同士がスライドされた際に当該側壁の内側から前記ボタンが係合される係合凹部を有し、前記ボタンが前記係合凹部に係合された状態において、当該ボタンが前記係合凹部に係合される際のスライド方向と同じ方向に、前記被締結部材が更にスライド可能とされていることを特徴とする。
【０００８】
以下では、便宜上、被締結部材のことをバンドと称するが、本発明における被締結部材はバンドに限らない。すなわち、本発明の締結具は、被締結部材同士がスライドされた際に第１部材と第２部材とが係合する構造に特徴を有しており、被締結部材の形状等は、スライド可能である限り、任意に構成できる。また、以下では、便宜上、被締結部材のスライド方向をバンドの長さ方向、被締結部材のスライド方向と交差する方向をバンドの幅方向、ということがある。
なお、被締結部材は、部材の部分であってもよい。
【０００９】
本発明において、一方のバンド（被締結部材）に第１部材を取り付ける際は、第１取付部材とボタンユニットとの間に当該バンドを挟み、ボタンを第１取付部材の側壁の内側（バンドの幅方向内側）に押し込んだ状態でボタンユニットを第１取付部材の側壁間に配置し、側壁の開口部から第１取付部材の側壁の外側（バンドの幅方向外側）にボタンを突出させる。
なお、第１取付部材およびボタンユニットは、適宜な手段によってバンドの所定位置に取り付けられている。例えば、これらの第１取付部材およびボタンユニットの一方に、他方との間にバンドを押圧保持する突起やくさびなどが設けられていてもよい。
また、他方のバンドに第２部材を取り付ける際は、第２取付部材の各側壁を適宜な手段によって当該バンドの所定位置に取り付ける。例えば、他方のバンドの幅方向（バンドのスライド方向と交差する方向）に沿って設けられた棒状部材の両端部をそれぞれ第２取付部材の側壁に取り付ける。
【００１０】
このように本発明では、各バンドの所定位置に第１部材と第２部材とがそれぞれ取り付けられており、第１部材が取り付けられたバンドと第２部材が取り付けられたバンドとを相対的に反対側にスライドさせて第１部材と第２部材とを近接させることにより、ボタンが係合凹部に係合され、締結が終了する。
すなわち、第１部材および第２部材によってバンド同士の締結位置が規定されているため、締結時のバンド同士の位置決めは不要であり、バンドのスライド操作だけで、バンド装着の都度、所望のバンド長さで、バンドの締結操作を簡単に行うことができる。
一方、スライド操作によってボタンが係合凹部に係合された状態から、同じスライド方向にバンドを更にスライドさせることにより、ボタンが係合凹部から外れ、バンド同士を離間させることが可能となるので、バンドの締結を解除する操作も簡単に行うことができる。
【００１１】
加えて、本発明では、スライド操作のみによって締結、締結解除の操作が可能であり、バンドを着脱する都度、バンドの孔につく棒が挿通される従来例のようにバンドに部分的に負荷が掛からないため、バンドの耐久品質を向上させることができる。
【００１２】
本発明の締結具では、前記ボタンおよび前記第２取付部材の側壁の少なくとも一方には、前記被締結部材同士のスライドにより前記ボタンと前記第２取付部材の側壁とが当接した際に前記第１取付部材の側壁の内側に向かって分力が作用する方向に傾斜する斜面が形成されていることが好ましい。
【００１３】
ここで、前記斜面は、傾斜角度が一定の直線的なテーパ形状とされていてもよいし、傾斜角度が一定でない曲面形状（Ｒ形状）とされていてもよい。
この発明によれば、バンドの締結時には、バンドのスライドによってボタンが第２取付部材の側壁に当接した際に、前記斜面を介した分力によってボタンがバンド幅方向内側に押されるので、係合凹部にボタンが円滑に案内される。
また、バンドの締結解除時には、バンドのスライドによってボタンが係合凹部の周縁に当接した際に、前記斜面を介した分力によってボタンがバンド幅方向内側に押されるので、係合凹部からボタンが外れ易くなる。
以上により、バンドのスライド操作が一層容易となる。
【００１４】
本発明の締結具では、前記ボタンにおける前記被締結部材のスライド方向で前記第２部材側とは反対側の端部は、前記スライド方向に対して略直角に形成されていることが好ましい。
【００１５】
この発明によれば、被締結部材においてスライド方向に引っ張り力が作用しても、ボタンの略直角とされた部分が係合凹部の周縁に押圧されるので、ボタンが係合凹部から外れない。
【００１６】
本発明の締結具では、前記ボタンは、前記係合凹部に係合された状態で前記第２取付部材の側壁の外側に突出していない、または略突出していないことが好ましい。
【００１７】
前述のように本発明では、ボタンが係合凹部に係合された状態から更にバンドをスライドさせる操作によって締結解除が行われるため、締結解除時に、ボタンを付勢力に抗して押す操作（プッシュ操作）が不要となる。このため、ボタンが第２取付部材の側壁の外側に突出していない、または略突出していない構成としても、取扱性に支障をきたさず、このような構成によって、第２取付部材の側壁の外側からボタンが不用意に押されて係合凹部から外れることを防止できる。また、このような構成によって、バンドが腕などに装着された場合にボタンの先端部で衣服の袖口等を傷めることも防止できる。
なお、ボタンが「略突出していない」とは、第２取付部材の側壁の外側からボタンが押されにくい程度に、また、衣服を傷めない程度に、第２取付部材の側壁の外側にボタンが僅かに突出している状態をいう。
【００１８】
本発明の締結具では、前記第２取付部材は、前記被締結部材同士のスライドにより前記ボタンが前記係合凹部から外れた際に前記第１取付部材の側壁に当接される当接部を有し、前記当接部は、前記第２取付部材の側壁の内側に突出するように形成されていることが好ましい。
【００１９】
この発明によれば、第１取付部材の側壁が第２取付部材の当接部に当接するまでバンドをスライドさせることにより、締結解除を行うことが可能となる。つまり、当接部が度当たりとなるため、締結解除の操作が一層容易となる。
【００２０】
本発明の締結具では、前記一方の被締結部材は、当該被締結部材の装着対象に装着される際に前記ボタンユニットの前記装着対象とは反対側に配置され、前記被締結部材同士は、前記一方の被締結部材を前記他方の被締結部材に載せた状態でスライドされることが好ましい。
【００２１】
この発明によれば、一方のバンドを他方のバンドに載せ、一方のバンドを他方のバンド側に引っ張るようにしてスライドさせることにより、ボタンが係合凹部に係合される。これにより、片手で簡単にバンドの締結操作を行うことができる。
なお、バンドの装着対象は、例えば腕であり、バンドの厚み方向において、装着対象側から、第２取付部材の底部、ボタンユニット、一方のバンド、第１取付部材の連結部の順に配置される。
【００２２】
本発明の締結具では、前記第１部材の連結部、および前記ボタンユニットの一方は、他方に向かって突出する突起を有し、前記突起は、前記一方の被締結部材に形成された孔に挿入されることが好ましい。
【００２３】
この発明によれば、突起がバンドの孔に挿入されることにより、第１取付部材およびボタンユニットに対するバンドの平面位置が決まるので、第１取付部材およびボタンユニットをバンドの所定位置に確実に取り付けることが可能となる。
なお、突起の径は一定とされていてよい。
【００２４】
本発明の締結具では、前記第２部材は、筒体に挿入された棒状部材がばねにより出没自在とされたばね棒を有し、前記第２取付部材の側壁は、前記ばね棒によって前記他方の被締結部材に取り付けられていることが好ましい。
【００２５】
この発明によれば、第２取付部材がばね棒によってバンドに着脱自在に取り付けられるので、バンド交換が容易となる。
【００２６】
本発明の長尺体は、前述の締結具を備えたことを特徴とする。
この発明によれば、前述した締結具を備えるため、前述と同様の作用および効果を享受できる。
【００２７】
本発明の携帯機器は、前述の長尺体を備えたことを特徴とする。
この発明によれば、前述した締結具を有する長尺体を備えるため、前述と同様の作用および効果を享受できる。
ここで、携帯機器としては、情報機器、通信機器、メモリカード、カメラ、計測機器などを例示できる。
【００２８】
本発明の時計は、前述の長尺体を備え、前記長尺体は、時計の外装ケースに連結されていることを特徴とする。
この発明によれば、前述した締結具を有する長尺体を備えるため、前述と同様の作用および効果を享受できる。
ここで、前記長尺体は、時計バンドであることが好ましい。
なお、時計バンドの材質等は問わず、時計バンドは、革製バンド、布製バンド、樹脂製バンド、金属製バンド等であってよい。
【００２９】
本発明の装身具は、前述の長尺体を備え、この長尺体により装着されることを特徴とする。
この発明によれば、前述した締結具を有する長尺体を備えるため、前述と同様の作用および効果を享受できる。
【発明の効果】
【００３０】
以上の本発明によれば、簡単な操作で締結および締結解除の操作を行うことができ、かつバンド等の被締結部材に部分的に負荷が掛からないため被締結部材の耐久性を大きく向上させることができる。
【発明を実施するための最良の形態】
【００３１】
以下、図面を参照して本発明の一実施形態について説明する。
〔１．全体構成〕
図１は、本実施形態に係る腕時計１の側面図である。この時計１は、図示しない時計体と、時計体を収納する外装ケース２と、このケース２の６時側と１２時側とにそれぞれ連結される革製の時計バンド１１，１２とを備え、バンド１１とバンド１２とは、締結具としての中留３によって締結されている。
【００３２】
〔２．中留の構成〕
図２は、中留３の斜視図である。中留３は、締結時のバンド長さ調整用の複数の係合孔１１１が形成された６時側バンド１１に取り付けられる第１部材３Ａと、１２時側バンド１２に取り付けられる第２部材３Ｂとを備え、これらの第１、第２部材３Ａ，３Ｂが互いに係合されることにより、バンド１１，１２が締結されている。図２は、第１部材３Ａと第２部材３Ｂとが係合しバンド１１，１２が締結された状態を示し、図３は、第１部材３Ａと第２部材３Ｂとの係合が解除された状態を示す。
【００３３】
本実施形態では、６時側バンド１１および１２時側バンド１２のいずれも、帯状の長尺体であるが、本実施形態の中留３で締結可能な時計バンドは、このような帯状体に限らず、適宜な長尺体であってよい。
ここで、長尺体とは、幅寸法よりも長さ寸法が上回っており長さ方向を有する部材をいい、長尺体には、帯状体や板状体などが含まれる。
なお、中留３で締結可能な時計バンドは、長尺体に限らず、例えば、時計の外装ケースに連結されるブロック状の連結部と、この連結部から外装ケースとは反対側に延出する延出部とを備え、延出部に中留の部材が配設されるものなどであってもよい。
また、６時側バンドと１２時側バンドとは必ずしも同様の形状に構成されていなくてもよい。すなわち、その一方が長尺体とされ、他方が長尺体でない任意の形状とされていてもよい。
【００３４】
〔３．第１部材の構成〕
図３に示すように、第１部材３Ａは、６時側バンド１１の幅方向に沿って設けられる第１取付部材２０と、この第１取付部材２０との間に６時側バンド１１を挟み、かつ係合ボタン３２１を有するボタンユニット３０とを備えている。
〔３−１．第１取付部材の構成〕
図４は、第１取付部材２０を示す。第１取付部材２０は、バンド１１（図３）の幅方向両側でバンド１１の厚み方向にほぼ沿ってそれぞれ起立する側壁２１，２１と、これらの側壁２１，２１を連結する連結部２２とを有して断面略コ字状に形成されている。
側壁２１，２１にはそれぞれ、略矩形状の開口部２１１が貫通形成されている。
【００３５】
〔３−２．ボタンユニットの構成〕
図５は、ボタンユニット３０を示す。また、図６は、ボタンユニット３０の内部を示し、図７は、ボタンユニット３０の一部断面側面図である。なお、図６では、ボタンユニット３０のボタンユニット枠３１を破断している。
図５、図６に示すように、ボタンユニット３０は、図４の第１取付部材２０の側壁２１，２１間に配置されるボタンユニット枠３１と、ボタンユニット枠３１の両端の開口からそれぞれ突出するボタン部材３２，３２と、ボタンユニット枠３１の底面に固定されボタンユニット枠３１の上面から突出する突起３３とを有して構成されている。
ボタンユニット枠３１は、図５に示すように、金属薄板を用いた曲げ加工により断面略長方形状に形成され、その薄板端部の突き合わせ部には、突起３３を通す孔３１１が形成されている。
また、図６、図７に示すように、ボタンユニット枠３１の底面の一部が切り起こされることにより、各ボタン部材３２をそれぞれ係止するストッパ３１２が形成されている。
【００３６】
各ボタン部材３２は、図６に示すように、先端側に切欠３２０および係合ボタン３２１を有する板状の部材とされている。これらのボタン部材３２，３２は、圧縮コイルばね３２４，３２４によってボタンユニット枠３１の両端の開口の内側から外側に向かって付勢されており、各ボタン部材３２にそれぞれ形成された貫通孔３２５に前記ストッパ３１２が挿入されることにより、当該ボタン部材３２，３２はボタンユニット枠３１に係止されている。
コイルばね３２４，３２４はそれぞれ、ボタンユニット枠３１の両側面部側で、ボタン部材３２，３２のそれぞれに形成された切欠３２６，３２６の間に配置されている。
【００３７】
係合ボタン３２１は、第１取付部材２０（図４）の側壁２１に形成された開口部２１１の内側から外側に突出する。この係合ボタン３２１は、開口部２１１の高さよりも若干小さい厚さで、かつ開口部２１１の幅よりも若干小さい幅で形成されている。
ここで、ストッパ３１２が挿入される前記貫通孔３２５の寸法は、両側の係合ボタン３２１，３２１をバンド１１（図３）の幅方向内側に押し込んだ際に、側壁２１，２１の内面間の寸法よりも係合ボタン３２１，３２１の先端間の寸法が小さくなり開口部２１１から各係合ボタン３２１が外れる係合ボタン３２１の最大押し込み量を実現する寸法で形成されている。
なお、係合ボタン３２１をコイルばね３２４のばね力に抗して押していない状態では、コイルばね３２４のばね力により、ストッパ３１２が貫通孔３２５の内壁に当接していることが好ましい。これにより、係合ボタン３２１の遊びをなくすことができる。
【００３８】
ここで、係合ボタン３２１におけるボタンユニット枠３１の側面側の部分は、バンド１１（図３）の長さ方向と幅方向との両方に対して斜めに形成されたＲ形状の斜面３２１Ａとされている。一方、係合ボタン３２１の切欠３２０側の立ち上がり部３２１Ｂは、バンド１１の長さ方向に対して略直角に形成されている。
【００３９】
突起３３は、バンド１１（図３）の係合孔１１１の径と略同径の円柱形状とされ、ボタンユニット枠３１の底面にかしめ固定されている。なお、かしめ固定に限らず、突起３３は、例えばレーザ溶接などによってボタンユニット枠３１の底面に固定されていてもよい。この突起３３は、ボタンユニット枠３１の上面から突出しており、バンド１１に形成された複数の係合孔１１１の１つに挿入されるが、その高さはバンド１１の厚みと同じである必要はない。
【００４０】
〔３−３．第１部材のバンドへの取付〕
図８、図９は、第１取付部材２０およびボタンユニット３０の６時側バンド１１への取付態様を示す。このバンド１１の表面側には第１取付部材２０が配置され、腕に接触する側であるバンド１１の裏面側にはボタンユニット３０が配置され、これら第１取付部材２０とボタンユニット３０との間にバンド１１が介装される。なお、第１取付部材２０とボタンユニット３０とは、締結時のバンドの長さに応じて選択された所定の係合孔１１１の位置でバンド１１に取り付けられる。
【００４１】
この第１取付部材２０およびボタンユニット３０をバンド１１に取り付ける際は、図８に示すように所定の係合孔１１１に突起３３を挿入し、両方の係合ボタン３２１，３２１をバンド１１の幅方向内側に押し込んだ状態で側壁２１，２１間にボタンユニット３０を配置し、図９のように、側壁２１の開口部２１１から係合ボタン３２１を突出させる。
ここで、バンド１１は第１取付部材２０とボタンユニット３０との間に挟まれており、第１取付部材２０とボタンユニット３０との間で突起３３が係合孔１１１に挿入されているため、突起３３は係合孔１１１から抜け出ず、第１取付部材２０およびボタンユニット３０に対するバンド１１の平面位置が決まる。すなわち、第１取付部材２０およびボタンユニット３０がバンド１１の所定位置に固定されることになる。
【００４２】
なお、第１取付部材２０およびボタンユニット３０のバンド１１への取付位置を調整する際には、係合ボタン３２１，３２１を側壁２１，２１の内側に押し込んで開口部２１１から外す。そして、突起３３をバンド１１に形成された他の係合孔１１１に挿入してから、係合ボタン３２１，３２１を押し込んで開口部２１１から突出させればよい。
【００４３】
〔４．第２部材の構成〕
次に、１２時側バンド１２（図３）に取り付けられる第２部材３Ｂの構成を説明する。
図１０は、第２部材３Ｂの分解斜視図である。第２部材３Ｂは、１２時側バンド１２に取り付けられる断面略コ字状の第２取付部材４０と、ばね棒５０とを有して構成されている。
ばね棒５０は、バンド１２の端部の革が巻かれて形成された孔１２１に挿通される筒体５１と、筒体５１の両端部にそれぞれ挿入され筒体５１内部のばねによって筒体５１の端部から出没自在とされた棒状部材５２，５２とを有している。
【００４４】
第２取付部材４０は、バンド１２の幅方向両側でバンド１２の厚み方向にほぼ沿ってそれぞれ起立する側壁４１，４１と、これらの側壁４１，４１間をバンド１２の裏面側で連結する底部４２と、ばね棒５０が取り付けられるばね棒取付部４３，４３とを有して断面略コ字状に形成されている。
側壁４１とばね棒取付部４３との間には、側壁４１の内側に突出する段差状の当接部４４が形成されている。
【００４５】
各側壁４１には、前述のボタンユニット３０（図９）の係合ボタン３２１が挿入される係合凹部４１１が形成されている。この係合凹部４１１は、側壁４１においてばね棒取付部４３から離間した位置に形成されている。
ここで、側壁４１，４１の内側面間の寸法は、ばね棒取付部４３，４３の内側面間の寸法よりも大きく、かつ第１取付部材２０（図９）の側壁２１，２１の内側面間の寸法よりも若干大きくなっている。なお、各側壁４１は、バンド１１，１２の締結時、前述の第１取付部材２０（図９）の側壁２１の外側に配置される。また、バンド１２の長さ方向における側壁４１の寸法は、バンド１１の長さ方向における第１取付部材２０（図９）の寸法よりも所定寸法大きくなっている。
【００４６】
各ばね棒取付部４３には、ばね棒５０の棒状部材５２が係止される孔４３１が形成されており、ばね棒取付部４３，４３の内側面間の寸法は、バンド１２の幅と略同程度とされている。
【００４７】
図１１は、第２取付部材４０をばね棒５０によってバンド１２に取り付けた状態を示す。第２取付部材４０をバンド１２に取り付ける際は、バンド１２の孔１２１（図１０）にばね棒５０を通し、棒状部材５２，５２を筒体５１の内部に没入させた状態でばね棒５０の両端側に第２取付部材４０のばね棒取付部４３，４３を配置し、各棒状部材５２をそれぞればね棒取付部４３の孔４３１に係止させる。
【００４８】
〔５．中留によるバンドの締結操作〕
次に、図１２、図１３を参照し、中留３でバンド１１，１２を締結して時計１を腕（装着対象）に装着する操作について説明する。
図１２は、６時側バンド１１を長さ方向（矢印方向）に沿ってスライドさせる状態を示す。この図１２に示すように、６時側バンド１１の端部を１２時側バンド１２の表面に載せ、第１取付部材２０を軽く押さえながら６時側バンド１１を１２時側バンド１２側にスライドさせる。これにより、６時側バンド１１と１２時側バンド１２とが相対的に反対側にスライドされる。なお、第２取付部材４０の底部４２にボタンユニット３０の底面を載せるようにするとスライドさせ易い。
【００４９】
このように６時側バンド１１を１２時側バンド１２に対してスライドさせていくと、第１部材３Ａと第２部材３Ｂとが近接し、図１３に示すように、係合ボタン３２１が第２取付部材４０の係合凹部４１１に側壁４１の内側から係合され、これによってバンド１１，１２は締結される。
ここで、バンド１１のスライド操作により、係合ボタン３２１の斜面３２１Ａが側壁４１の端部に当たり、バンド１１の長さ方向に作用する力の分力によって係合ボタン３２１がバンド１１の幅方向内側に押されるので、当該係合ボタン３２１は側壁４１の係合凹部４１１に円滑に案内される。
このように係合ボタン３２１が係合凹部４１１に係合された状態において、係合ボタン３２１は第２取付部材４０の側壁４１の外側に突出していない。また、係合ボタン３２１の立ち上がり部３２１Ｂ（図１２）は、バンド１１の長さ方向に対して略直角となっている。
【００５０】
図１４を参照し、バンド１１，１２の締結を解除する操作を説明する。バンド１１，１２の締結を解除する際は、１２時側バンド１２を押さえつつ、６時側バンド１１をバンド１１，１２が締まる方向、すなわち図１２に示した締結時と同じスライド方向に、第１取付部材２０の側壁２１が当接部４４に当たるまでスライドさせる。なお、係合ボタン３２１が係合凹部４１１に係合された状態において、第１取付部材２０の側壁２１の端部と第２取付部材４０の当接部４４とが離間しており、この離間した寸法分、バンド１１，１２がスライド可能とされている。
【００５１】
このバンド１１，１２同士のスライドに伴って第１取付部材２０と第２取付部材４０とが相対移動し、係合ボタン３２１，３２１が係合凹部４１１から外れることにより、少しのスライド量でバンド１１、１２を離間させることができる。
ここで、バンド１１のスライド操作により、係合ボタン３２１の斜面３２１Ａが係合凹部４１１の周縁部に当たり、バンド１１の長さ方向に作用する力の分力によって係合ボタン３２１がバンド１１の幅方向内側に押されるので、係合ボタン３２１が係合凹部４１１から外れ易くなる。
【００５２】
〔６．本実施形態の効果〕
以上説明した本実施形態によれば、次のような効果を奏する。
（１）時計バンド１１，１２の中留３は、バンド１１，１２の所定位置にそれぞれ取り付けられる第１部材３Ａと第２部材３Ｂとを備え、バンド１１，１２を締める方向にスライドさせるだけで、係合ボタン３２１が係合凹部４１１に係合してバンド１１，１２の装着が終了するので、バンド装着の都度、所望のバンド長さで、バンド１１，１２の締結操作を簡単に行うことができる。
また、係合ボタン３２１が係合凹部４１１に係合された状態からバンド１１，１２を更にスライドさせることにより、バンド１１，１２の締結を解除する操作も簡単に行うことができる。
そのうえ、バンド１１，１２をスライドさせるだけで、締結および締結解除の操作が可能であり、バンド１１，１２に部分的に負荷が掛からないため、バンド１１，１２の耐久品質を向上させることができる。
【００５３】
（２）第１取付部材２０とボタンユニット３０との間に６時側バンド１１が介装され、第１取付部材２０とボタンユニット３０との間で突起３３がバンド１１の係合孔１１１に挿入されることにより、第１取付部材およびボタンユニットをバンドの所定位置に確実に取り付けることが可能となる。
【００５４】
（３）係合ボタン３２１の斜面３２１Ａを介した分力により、バンド１１，１２の締結時には係合ボタン３２１が係合凹部４１１に円滑に挿入され、バンド１１，１２の締結解除時には係合ボタン３２１が係合凹部４１１から外れ易くなる。これにより、バンド１１，１２のスライド操作をより容易に行うことができる。
【００５５】
（４）係合ボタン３２１の立ち上がり部３２１Ｂがバンド１１，１２のスライド方向に対して略直角に形成されているため、バンド１１，１２を装着した状態で時計１を携帯する際などにバンド１１，１２に引っ張り力が作用しても、係合ボタン３２１が係合凹部４１１から外れない。
【００５６】
（５）係合ボタン３２１が係合凹部４１１に係合された状態において、係合ボタン３２１が第２取付部材４０の側壁の外側に突出していないので、側壁４１の外側から係合ボタン３２１が不用意に押されて係合凹部４１１から外れることを防止できる。また、このような構成により、係合ボタン３２１の先端部で衣服の袖口等を傷めることも防止できる。
【００５７】
（６）第１取付部材２０の側壁２１に当接部４４が形成され、この当接部４４がバンド１１，１２をスライドさせて締結を解除する際の度当たりとなるため、バンド１１，１２の締結解除の操作が一層容易となる。
【００５８】
（７）６時側バンド１１を１２時側バンド１２に載せ、６時側バンド１１を１２時側バンド１２側にスライドさせることにより、片手で簡単にバンド１１，１２の締結操作を行うことができる。
【００５９】
（８）第２部材３Ｂは、第２取付部材４０とばね棒５０とに分解できるので、バンド１２を容易に交換することができる。
【００６０】
［本発明の変形例］
本発明は、以上説明した実施形態に限定されず、各種の改良および変形が可能である。
図１５は、本発明の変形例に係る第２取付部材４０´を示す。前記実施形態では、係合ボタン３２１に斜面３２１Ａが形成されていたが、このような斜面が形成されるのは、図１５に示すように、第２取付部材４０´の側壁４１であってもよい。
図１６は、本発明の他の変形例に係る第２取付部材４０”を示す。図１６に示すように、係合ボタン３２１と第２取付部材４０”の側壁４１との両方に、斜面が形成されていてもよい。図１５に示した第２取付部材４０´の各側壁４１にはそれぞれ、斜面としてのテーパ面４１２が形成されており、図１６に示した第２取付部材４０”の各側壁４１にはそれぞれ、斜面としてのテーパ面４１２，４１３が形成されている。この点を除いて、第２取付部材４０´、４０”は、前述の第２取付部材４０（図１１）と同様に構成されている。
【００６１】
テーパ面４１２は、側壁４１の係合凹部４１１におけるばね棒取付部４３とは反対側の端部から、側壁４１の端部にかけて形成されている。また、テーパ面４１３は、テーパ面４１２と同じ側に傾斜し、係合凹部４１１のばね棒取付部４３側の端部からばね棒取付部４３に向かって形成されている。
バンド締結時には、テーパ面４１２を介した分力により、係合ボタン３２１（図１２）が押されるため、係合ボタン３２１を係合凹部４１１に容易に係合させることができる。そして、バンドの締結解除時には、テーパ面４１３を介した分力により、係合ボタン３２１（図１２）が押されるため、係合ボタン３２１を係合凹部４１１から容易に外すことができる。
【００６２】
また、前記各実施形態において、バンド１１の係合孔１１１に挿入される突起３３はボタンユニットに設けられていたが、これに限らず、第１取付部材の連結部にこのような突起が形成されていてもよい。
本発明において、バンド等の被締結部材に孔が形成されていることと、この孔に挿入される突起を第１取付部材またはボタンユニットが有していることは必須構成ではないが、このように突起が孔に挿入される構成とすることにより、第１取付部材およびボタンユニットを一方の被締結部材に容易にかつ確実に固定することができる。
【００６３】
前記各実施形態では、ボタンユニット枠３１の底面から立ち上がるストッパ３１２によってボタン部材３２をボタンユニット枠３１に係止していたが、このようなストッパ３１２の代わりに、例えば、ボタンユニット枠３１からボタン部材３２の貫通孔３２５に突出するように設けられたねじなどによって、ボタン部材３２をボタンユニット枠３１に係止してもよい。
【００６４】
なお、本発明の締結具は、スライド可能な被締結部材同士を締結する各種用途に利用できる。前記各実施形態のバンド１１，１２は外装ケース２にそれぞれ設けられた別部材であったが、これに限らず、バンド１１，１２は繋がった一つの部材であってもよい。
【００６５】
また、前記各実施形態では、時計バンドに適用された締結具としての中留を示したが、本発明の締結具は各種の装身具にも適用できる。
ここで、装身具としては、腰や腕などに巻くベルトやバンド、首に巻くチョーカー、衣服の留め具などが挙げられる。このほか、本発明の締結具は、鞄、袋物、履物などの各種物品にも適用できる。
【００６６】
さらに、本発明の締結具は２つの被締結部材同士を締結するが、複数の締結具を使用することによって３つ以上の被締結部材を締結することが可能となる。例えば、円弧状などの３つ以上の部品でブレスレットタイプの時計バンドが構成される場合などは、隣合う部品と部品とを本発明の締結具で締結することが可能となる。
【００６７】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６８】
【図１】本発明の一実施形態に係る時計および時計バンドを示す側面図。
【図２】前記実施形態における時計バンドの中留を示す斜視図。
【図３】前記実施形態の中留が備える第１部材と第２部材とを外した状態を示す図。
【図４】前記第１部材が有する第１取付部材の斜視図。
【図５】前記第１部材が有するボタンユニットの斜視図。
【図６】前記ボタンユニットの内部を示す図。
【図７】前記ボタンユニットの一部断面側面図。
【図８】第１取付部材およびボタンユニットの６時側バンドへの取付態様を示す図。
【図９】第１取付部材およびボタンユニットが６時側バンドに取り付けられた状態を示す図。
【図１０】前記第２部材の分解斜視図。
【図１１】前記第２部材を１２時側バンドに取り付けた状態を示す図。
【図１２】前記実施形態の中留におけるバンドの締結操作を示す図。
【図１３】前記実施形態の中留によってバンドが締結された状態を示す図。
【図１４】前記実施形態の中留におけるバンドの締結解除の操作を示す図。
【図１５】本発明の変形例に係る第２取付部材を示す図。
【図１６】本発明の他の変形例に係る第２取付部材を示す図。
【符号の説明】
【００６９】
１・・・時計、２・・・外装ケース、３・・・中留（締結具）、３Ａ・・・第１部材、３Ｂ・・・第２部材、１１・・・６時側バンド（一方の被締結部材）、１２・・・１２時側バンド（他方の被締結部材）、２０・・・第１取付部材、２１・・・側壁、２２・・・連結部、３０・・・ボタンユニット、３１・・・ボタンユニット枠、３２・・・ボタン部材、３３・・・突起、４０，４０´，４０”・・・第２取付部材、４１・・・側壁、４２・・・底部、４４・・・当接部、５０・・・ばね棒、１１１・・・係合孔、２１１・・・開口部、３２１・・・係合ボタン（ボタン）、３２１Ａ・・・斜面、３２１Ｂ・・・立ち上がり部（略直角に形成された部分）、４１１・・・係合凹部、４１２・・・テーパ面（斜面）、４１３・・・テーパ面（斜面）。
【図１】
2008272069.tif 000003
【図２】
2008272069.tif 000004
【図３】
2008272069.tif 000005
【図４】
2008272069.tif 000006
【図５】
2008272069.tif 000007
【図６】
2008272069.tif 000008
【図７】
2008272069.tif 000009
【図８】
2008272069.tif 000010
【図９】
2008272069.tif 000011
【図１０】
2008272069.tif 000012
【図１１】
2008272069.tif 000013
【図１２】
2008272069.tif 000014
【図１３】
2008272069.tif 000015
【図１４】
2008272069.tif 000016
【図１５】
2008272069.tif 000017
【図１６】
2008272069.tif 000018